(57)【特許請求の範囲】
【請求項１】
遠位部分及びルーメンを有するカテーテルと、
前記カテーテルの前記ルーメンを通って送達されるための折り畳んだ状態、及び拡張状態をとる輪縄式ガイドであって、前記輪縄式ガイドがその上に複数のマッピング電極を有し、前記マッピング電極が心電計回路に接続可能である、輪縄式ガイドと、
前記ルーメンを通って前記輪縄式ガイドの上に展開可能な膨張式のバルーンであって、前記バルーンが長手方向軸及び外壁を有し、前記バルーンが複数の洗浄孔により有窓であり、前記洗浄孔を通過するための流体の供給源と接続されている、バルーンと、
前記バルーンの前記長手方向軸から外向きに放射状に広がっている複数のストリップを含むサブアセンブリと、
前記ストリップ上に配置された複数のアブレーション電極と、
前記アブレーション電極につながるワイヤと、を備え、
前記サブアセンブリの前記ストリップが、前記バルーンの表面上に延在し、それぞれ前記ワイヤを覆うピグテールを含む、アブレーション装置。
【請求項２】
前記サブアセンブリが、貫通孔を有し、前記貫通孔が前記バルーンの前記洗浄孔と流体連通する、請求項１に記載の装置。
【請求項３】
少なくとも部分的に前記ルーメン内に配置されたシャフトを更に含み、前記バルーンは、前記シャフトに取り付けられている、請求項１に記載の装置。
【請求項４】
前記サブアセンブリが、サブアセンブリ開口部を更に含み、前記シャフトの遠位部分が前記サブアセンブリ開口部を通って延在する、請求項３に記載の装置。
【請求項５】
前記ストリップは、前記アブレーション電極が配置される本体部と、前記本体部と前記ピグテールとをつなぐ移行部とを含み、前記本体部および前記移行部が、前記貫通孔を含む、請求項２に記載の装置。
【発明の詳細な説明】
【技術分野】
【０００１】
本発明は医療機器に関する。より詳細には、本発明は、心臓カテーテル法の改良に関する。
【背景技術】
【０００２】
心房細動などの心不整脈は、心臓組織の諸区域が、隣接組織に電気信号を異常に伝導することによって正常な心周期を阻害し、非同期的な律動を引き起こす場合に発生する。
【０００３】
不整脈を治療するための手技には、不整脈を発生させている信号の発生源を外科的に破壊すること、及び、そのような信号の伝導路を破壊することが含まれる。カテーテルを介してエネルギーを印加して心臓組織を選択的にアブレーションすることによって、心臓の一部分から別の部分への望ましくない電気信号の伝播を停止する又は変更することが時に可能である。このアブレーション処理は、非伝導性の損傷を形成することによって望ましくない電気経路を破壊するものである。
【０００４】
心房性不整脈を治療するために、肺静脈口又はその近傍で円周方向の損傷が形成されてきた。米国特許第６，０１２，４５７号及び同第６，０２４，７４０号（両方ともＬｅｓｈに対する）は、高周波電極を備える、半径方向に拡張可能なアブレーション装置を開示する。円周状の伝導ブロックを確立することで肺静脈を左心房から電気的に絶縁するために、この装置を使用して、肺静脈に高周波エネルギーを供給することを提案する。
【０００５】
本願と同一譲受人に譲渡され、参照により本明細書に援用されるＳｃｈｗａｒｔｚらに対する米国特許第６，８１４，７３３号は、高周波放出体として半径方向に拡張可能な螺旋状コイルを有するカテーテル導入装置を説明する。一適用例では、放出体は、経皮的に導入され、経中隔的に肺静脈口まで前進する。放出体は、放出体を肺静脈の内壁と円周状に接触させるために、半径方向に拡張されるが、これは放出体を包んでいる係留バルーンを膨張させることによって実現することができる。コイルは高周波発生器によって通電され、円周方向のアブレーション損傷が肺静脈の心筋スリーブ内に生じ、これは肺静脈と左心房との間の電気的伝播を効果的にブロックする。
【０００６】
別の例がＭａｇｕｉｒｅらに対する米国特許第７，３４０，３０７号で見出され、これは肺静脈が心房から延出している位置で組織の円周方向の部位をアブレーションすることによって心房性不整脈を治療する組織アブレーションのシステム及び方法を提案している。システムは、アブレーション要素を有する円周状のアブレーション部材を含み、アブレーション部材をその位置まで送達するための送達アセンブリを含む。円周状のアブレーション部材は、送達シースを介した心房への送達、及びアブレーション要素と組織の円周方向の部位との間のアブレーションカップリングの両方が可能になるように、異なる構成間で概ね調整可能である。
【発明の概要】
【課題を解決するための手段】
【０００７】
本発明の実施形態は、アブレーションバルーンの肺静脈口への送達を可能にするカテーテルを提供する。バルーン及び送達方法は、医師の処置を単純化する。
【０００８】
本発明の実施形態により、アブレーションの方法が提供され、その方法は心臓の左心房の中にカテーテルを導入すること、カテーテルのルーメンを通して輪縄式ガイドを延長して肺静脈の内壁と係合させること、膨張したバルーンを輪縄式ガイドの一部の上に展開させること、によって実行され、そのバルーンはその外壁に配置された電極アセンブリを有する。電極アセンブリは、長手方向軸の周囲に円周方向に配置された複数のアブレーション電極を含む。方法は、アブレーション電極が肺静脈にガルバニック接触するように肺静脈口に接してバルーンを位置決めすること、及びアブレーション電極を介して電気エネルギーを伝達し肺静脈を取り囲む円周方向の損傷を生じること、によって更に実行される。
【０００９】
方法の一態様は、バルーンの膨張及び位置決めの後に、カテーテルを通して肺静脈の中に造影剤を注入することを含む。
【００１０】
方法の更なる態様は、バルーンの位置決めの後に、カテーテルを通してバルーンの中に造影剤を注入することを含む。
【００１１】
方法の更に別の態様では、輪縄式ガイドは、その上に配置されたマッピング電極を有する。方法は、アブレーション電極を介して電気エネルギーの伝達を実行する前に、マッピング電極を用いてアブレーション前の電位図を得ることによって更に実行される。
【００１２】
方法の別の態様では、輪縄式ガイドは、その上に配置されたマッピング電極を有する。方法は、アブレーション電極を介して電気エネルギーの伝達を実行した後に、マッピング電極を用いてアブレーション後の電位図を得ることによって更に実行される。
【００１３】
本発明の実施形態により、プローブ、及びプローブのルーメンを通って送達されるための折り畳んだ状態をとり、プローブを通して送達された後に拡張状態をとる輪縄式ガイド、を含むアブレーション装置が更に提供される。輪縄式ガイドは、心電計回路に接続可能な複数のマッピング電極を有する。装置は、ルーメンを通って輪縄式ガイドの上に展開可能な膨張式のバルーンを更に含み、そのバルーンは、外壁上で長手方向軸の周りに円周方向に配置された複数のアブレーション電極を有する。バルーンは、複数の洗浄孔により有窓であり、孔を通過するための流体の供給源と接続される。
【００１４】
装置の更なる態様では、サブアセンブリは、バルーンの長手方向軸から外向きに放射される複数のストリップを有し、アブレーション電極はストリップ上に配置される。
【００１５】
装置の別の態様によると、サブアセンブリは、バルーンの孔と流体連通する貫通形成された開口部を有する。
【００１６】
装置の別の態様では、プローブの遠位部分においてワイヤはアブレーション電極につながり、サブアセンブリのストリップは、バルーンの表面上に延在し、対応のワイヤを覆うピグテールを備える。
【図面の簡単な説明】
【００１７】
本発明が更に理解されるように、-一例として、本発明の詳細な説明を参照するが、-その説明は以下の図面と共に読まれるべきであり、図面において同様の要素は同様の参照番号を与えられている。
【図１】開示される本発明の実施形態に従って心臓へのカテーテル法を実施するためのシステムの図である。
【図２】本発明の実施形態による、図１に示されるカテーテルの遠位部分の図である。
【図３】本発明の実施形態による、図１に示されるカテーテルの遠位部分の別の図である。
【図４】本発明の実施形態による、アブレーションの操作位置における図１に示されるカテーテルの遠位部分の図である。
【図５】本発明の実施形態による、図４に示されるカテーテル電極アセンブリの底面図である。
【図６】本発明の実施形態による、図４に示されるカテーテル電極アセンブリの頂面図である。
【図７】本発明の実施形態による、図４に示されるカテーテルのバルーンの実施形態の側面図である。
【図８】本発明の実施形態による、図７に示されるバルーンの線８−−８を通る切欠断面図である。
【図９】本発明の実施形態による肺静脈隔離の方法のフローチャートである。
【発明を実施するための形態】
【００１８】
以下の説明では、本発明の様々な原理が完全に理解されるように、多くの具体的な詳細について記載する。しかしながら、これらのすべての詳細が本発明の実施に必ずしも必要ではないことが、当業者には理解されよう。この場合、一般的な概念を不要に曖昧にすることのないよう、周知の回路、制御論理、並びに従来のアルゴリズム及び処理に対するコンピュータプログラム命令の詳細については、詳しく示していない。
【００１９】
ここで図面に目を向け、最初に図１を参照すると、この図は、本発明の開示される実施形態に従って構築され作動する、電気活性を評価し、生体被験者の心臓１２に対してアブレーション手技を行うためのシステム１０を描図したものである。このシステムは、患者の血管系を通して、心臓１２の心房・心室又は血管構造内に操作者１６によって経皮的に挿入されるカテーテル１４を備えている。通常、医師である操作者１６は、カテーテルの遠位先端部１８を、心臓壁、例えばアブレーション標的部位と接触させる。その開示が本明細書に参照により組み込まれる、米国特許番号第６，２２６，５４２号及び同第６，３０１，４９６号、並びに同一出願人による米国特許第６，８９２，０９１号に開示されている方法に従って、電気的活性化マップが作成できる。システム１０の要素を具現化する１つの市販の製品は、Ｂｉｏｓｅｎｓｅ  Ｗｅｂｓｔｅｒ，Ｉｎｃ．（３３３３  Ｄｉａｍｏｎｄ  Ｃａｎｙｏｎ  Ｒｏａｄ，Ｄｉａｍｏｎｄ  Ｂａｒ，ＣＡ  ９１７６５）より入手可能な、ＣＡＲＴＯ（登録商標）３システムとして入手可能である。このシステムは、本明細書に記載されている本発明の原理が具現化されるように、当業者が修正を施すことができる。
【００２０】
例えば電気的活性化マップの評価によって異常と判定された領域は、例えば心筋に高周波エネルギーを加える遠位先端部１８の１つ又は複数の電極に、カテーテル内のワイヤを通して高周波電流を流すことなどにより熱エネルギーを加えることによってアブレーションすることができる。エネルギーは組織に吸収され、組織を電気的興奮性が永久に失われる点（一般的には６０℃超）まで加熱する。成功すると、この手技により、心組織内に非伝導性の損傷が形成され、この損傷が不整脈を発生させる異常な電気経路を遮断する。本発明の原理を異なる心房・心室に適用することによって、多数の様々な心不整脈を診断し、治療することができる。
【００２１】
カテーテル１４は、通常、ハンドル２０を備え、ハンドル２０は、その上に好適な制御部を有し、操作者１６がカテーテルの遠位端部をアブレーションに望ましいように、操舵、位置決め、及び方向付けできる。操作者１６を補助するため、カテーテル１４の遠位部分には、コンソール２４内に配置されたプロセッサ２２に信号を供給する位置センサ（図示せず）が収容されている。プロセッサ２２は、以下に記載するいくつかの処理機能を果たすことができる。
【００２２】
ワイヤ接続部３５はコンソール２４を、身体表面の電極３０と、カテーテル１４の位置座標及び配向座標を測定するための位置決定サブシステムの他の構成要素と、に連結する。プロセッサ２２又は他のプロセッサ（図示せず）は、位置決定サブシステムの要素であってよい。カテーテル電極（図示せず）及び体表面電極３０は、参照により本明細書に組み込まれる、米国特許第７，５３６，２１８号（Ｇｏｖａｒｉら）に教示されるように、アブレーション部位での組織のインピーダンスを測定するために使用することができる。温度センサ（図示せず）、典型的には、熱電対又はサーミスタは、後述のようにカテーテル１４の遠位部分のアブレーション表面上に載置され得る。
【００２３】
コンソール２４には通常、１つ又は２つ以上のアブレーション電力発生装置２５が収容されている。カテーテル１４は、例えば、高周波エネルギー、超音波エネルギー、及びレーザー生成光エネルギーなどの任意の周知のアブレーション技術を使用して心臓にアブレーションエネルギーを伝えるように適合させることができる。このような方法は、参照によって本明細書に組み込まれる、本願と同一譲受人に譲渡された米国特許第６，８１４，７３３号、同第６，９９７，９２４号、及び同第７，１５６，８１６号に開示されている。
【００２４】
１つの実施形態において、この位置決めサブシステムは、磁場生成コイル２８を使用して、既定の作業体積内に磁場を生成し、カテーテルにおけるこれらの磁場を検知することによって、カテーテル１４の位置及び向きを特定する、磁気位置追跡の仕組みを含む。位置決めサブシステムは、参照により本明細書に組み込まれる米国特許第７，７５６，５７６号、及び上記の米国特許第７，５３６，２１８号に記載されている。
【００２５】
上述したように、カテーテル１４は、コンソール２４に連結され、これにより操作者１６が、カテーテル１４の機能を観察及び調節できるようになっている。コンソール２４は、プロセッサ、好ましくは適切な信号処理回路を有するコンピュータを含む。プロセッサは、モニタ２９を駆動するように結合されている。信号処理回路は通常、カテーテル１４からの信号を、受信、増幅、フィルタリング、及びデジタル化するが、そのような信号には、カテーテル１４の遠位側に設置された、電気、温度、及び接触力センサのようなセンサ、及び複数の位置検知電極（図示せず）により生成される信号が含まれる。デジタル化された信号はコンソール２４及び位置決定システムによって受信され、カテーテル１４の位置及び向きを計算し、電極からの電気信号を解析するために使用される。
【００２６】
電気解剖学的マップを生成するために、プロセッサ２２は通常、電気解剖学的マップ生成器、画像登録プログラム、及び画像又はデータ分析プログラムを備え、且つモニタ２９上にグラフィカル情報を提示するグラフィカルユーザーインターフェイスをも備える。
【００２７】
簡略化のため図には示されていないが、通常、システム１０には、他の要素も含まれる。例えば、システム１０は、心電図（ＥＣＧ）モニタを含み得るが、このＥＣＧモニタは、ＥＣＧ同期信号をコンソール２４に供給するために、１つ又は２つ以上の体表面電極から信号を受信するように連結される。また、上に述べたように、システム１０は通常、基準位置センサをも含むが、基準位置センサは、患者の身体の外側に取り付けられた、体位外貼付式基準パッチ上、又は心臓１２に挿入され、心臓１２に対して固定位置に維持された、体内配置式カテーテル上のいずれかに配置される。カテーテル１４に液体を通して循環させるための、従来のポンプ及びラインが、アブレーション部位を冷却するために提供される。システム１０は、画像データを外部ＭＲＩユニット等のような画像診断法から受信することもできるし、画像生成及び表示の目的で、プロセッサ２２に統合され得る又はプロセッサ２２により起動され得る画像プロセッサを具備することもできる。
【００２８】
ここで図２を参照すると、図２は、本発明の実施形態による、カテーテル１４（図１）の遠位部分の図である。カテーテルの遠位先端部１８は、心臓１２（図１）の左心房内にある。肺静脈口３７、３９は可視である。輪縄式ガイド４１は、遠位先端部１８を越えて半ば展開されている。輪縄式ガイド４１は、形状記憶を有してよく、カテーテル１４の遠位先端部１８を通して延出したとき、輪縄式ガイド４１の遠位部分は、それ自体を環又はらせんに構成する。複数のリング電極４３は、輪縄式ガイド４１上に配置されてもよい。電極４３は、輪縄式ガイド４１が肺静脈の壁部と結合されたまま、アブレーションの後で肺静脈の電気的絶縁を確認するために電位図を得るのに有用である。例えば、接触力センサ及び磁気式位置センサ等、他のタイプの電極及びセンサを、輪縄式ガイド４１の上に載置してもよい。
【００２９】
ここで図３を参照すると、図３は、本発明の実施形態による、カテーテル１４（図１）の遠位部分の図である。輪縄式ガイド４１は展開されて、肺静脈４５の壁部に係合する。バルーン４７は、膨張して、血管壁に係留された輪縄式ガイド４１によってもたらされる安定性によって補助されている。バルーン４７の正確な配置は、カテーテル１４を通して造影剤を注入することによって確認することができる。追加的又は代替的に、造影剤をバルーン４７の中に注入してもよい。
【００３０】
ここで図４を参照すると、図４は、本発明の実施形態による、肺静脈４５の口４９での操作位置において示されるカテーテル１４（図１）の遠位セグメントの側面図である。輪縄式ガイド４１は、遠位先端部１８を通って完全に伸長されている。ガイドが静脈内に位置付けられると、シャフト５１上に載置されたバルーン４７は、カテーテル１４の遠位先端部１８を越えて伸長する。バルーン４７は、口４９で静脈を塞ぐために、生理食塩水溶液の注入によって膨張する。バルーン４７は、有窓である。開口部又は孔（図６で最も良く見られる）は、生理食塩水による口４９の洗浄を可能にする。バルーン４７は、その不変の表面に配置された電極アセンブリ５３を有する。複数のアブレーション電極は、図５に最も良く見られるように電極アセンブリ５３上に配置される。電極アセンブリ５３の構成要素は、電極５５（図５）と口４９の壁部との間のガルバニック接触を最大にするためにシャフト５１に垂直であるそれぞれの平面で細長く且つ縦向きである。ピグテール５７は、バルーン４７がカテーテル１４のシャフトの中に格納されるときに電極アセンブリ５３が層間剥離するのを防ぎ、電極アセンブリ５３の電極につながるワイヤ（図示せず）を保護する。電極アセンブリ５３のその他の幾何学的構成、例えば、らせん状配列、又は同心円状のリングが可能である。電極５５（図５）を通る電気エネルギーの通過は、口４９において電気的伝播をブロックし、肺静脈を心臓から隔離する円周方向の損傷５９を生じる。アブレーション部位は、バルーン４７及び電極アセンブリ５３内に形成された孔を通る冷却流体６１の流れによって冷却される。あるいは、電極５５の一部は、電気的マッピング用に構成されてもよい。
【００３１】
ここで図５を参照すると、図５は本発明の実施形態による、電極アセンブリ５３の底面図である。電極アセンブリ５３は、バルーン４７から外して示されている。電極アセンブリ５３の下面は、バルーン４７の外側表面（図４）に接着されるように適合される。電極アセンブリ５３は、シャフト５１（図４）が延出する中央開口部６３を含む。この構成によって、造影剤の注入又は医学的処置で要求されることがあるシャフト５１を通る試料採取を可能にする。電極アセンブリ５３は、バルーン４７の周囲に延在し、バルーンが膨張し、肺静脈にナビゲートされるとき肺静脈口に接触する放射状ストリップ６５の基材を含む。電極５５は、それぞれのストリップ６５上に配置され、アブレーション操作中に口とガルバニック接触になり、その間電流は電極５５及び口を通って流れる。１０個のストリップ６５が図５の例に示され、中心軸である開口部６３の周りに均一に分布している。その他の数のストリップが可能である。しかしながら、電極５５がアブレーション用に活性化されるとき、少なくとも１つの連続する円周方向の損傷が肺静脈に生じるように十分に小さい角が隣接したストリップ６５の間に存在するはずである。
【００３２】
多数の孔６７（典型的には直径２５〜１００マイクロメートル）は、それぞれのストリップ６５を通って形成され、下にあるバルーン４７もまた貫通する。孔６７は、バルーン４７の内部からアブレーション部位の上及びその近傍に冷却洗浄流体の流れを導く。流速は、ポンプ制御装置（図示せず）によってアイドル速度の約４ｍＬ／分〜アブレーション流速の６０ｍＬ／分で変更してもよい。
【００３３】
ここで図６を参照すると、図６は本発明の実施形態による、電極アセンブリ５３の頂面図である。電極５５が示されている。操作中、それらは肺静脈の壁部と接触するようになる。
【００３４】
ここで図７を参照すると、図７は本発明の実施形態による近位端７１及び遠位端７３を有するバルーン６９の実施形態の側面図である。電極アセンブリ７５は、バルーン６９の外側壁部７７の外面に接着される。その近位端７１において、バルーン６９は狭まり、機械的支持及び流体の供給をもたらす連結チューブに適合するように構成される。遠位端７３は、狭まって、バルーン６９の内部と管のルーメンとの間の流体導通を可能にする。
【００３５】
ここで図８を参照すると、図８は本発明の実施形態によるバルーン６９（図７）の線８−−８を通る切欠断面図である。周縁７９は、バルーン６９を支持体（図示せず）に封止して、バルーンの膨張に使用される流体及び洗浄流体が漏れるのを防ぐ。内側流路８１は、血管と身体の外側の場所との間の流体連通を可能にする。例えば、造影剤を流路８１を通して送ることができる。
【００３６】
ここで図９を参照すると、図９は、本発明の実施形態による、肺静脈隔離の方法のフローチャートである。初期工程８３において、心カテーテルは、心臓の左心房の中に従来の方式で導入される。
【００３７】
次に、工程８５において、輪縄式ガイド４１は展開され、肺静脈の内壁と係合するように位置付けられる。輪縄式ガイド４１が所定の位置に置かれるとアブレーション前の電位図を取得することができる。
【００３８】
次に、工程８７において、バルーン４７は、輪縄式ガイド４１の上に伸長されて膨張する。
【００３９】
次に、工程８９において、バルーン４７は、口を閉塞するために肺静脈口と円周状に接触するようにナビゲートされる。
【００４０】
次に、工程９１において、放射線不透過性造影剤がカテーテルのルーメンを通して注入される。造影剤は、バルーン４７が肺静脈口に接して正しい位置にあることを確認するために、輪縄式ガイド４１とルーメンの壁部との間の間隙を通過する。造影剤は、バルーンに入らない。
【００４１】
制御はここで決定工程９３に進み、バルーン４７が正しく位置付けられているかどうかを判定する。決定工程９３での判定が否定である場合、次に制御は工程８９に戻り、バルーンの位置付けが再度試みられる。
【００４２】
決定工程９３での判定が肯定である場合、次に制御は、電極アセンブリ５３（図４）のアブレーション電極を用いてアブレーションが実行される工程９５に進む。円周方向の損傷が、肺静脈を取り囲む組織の領域に形成される。損傷は、電気的伝播をブロックし、肺静脈を心臓から効果的に電気的に絶縁する。肺静脈の機能的隔離を確認するために、アブレーション後の電位図を輪縄式ガイド４１（図２）の電極４３から得ることができる。
【００４３】
アブレーションの完了後、バルーン４７及び輪縄式ガイド４１の離脱によって別の肺静脈口を用いて手順を繰り返してもよい。制御は、次に工程８５に戻ってもよい。あるいは、最終工程９７においてカテーテル１４の取り外しによって手順を終了してもよい。
【００４４】
当業者には明らかとなることであるが、本発明は、本明細書で具体的に図示及び説明された内容に限定されるものではない。むしろ、本発明の範囲は、以上で述べた様々な特徴の組み合わせ及び一部の組み合わせ、並びに上記の説明を読むことで当業者が想到するであろう、従来技術にはない特徴の変形及び改変をも含むものである。
【００４５】
〔実施の態様〕
（１）  アブレーションの方法であって、
心臓の左心房の中にカテーテルを導入する工程であって、前記カテーテルがルーメン及び遠位端を有する、工程と、
前記カテーテルの前記ルーメンを通して輪縄式ガイド（lasso guide）を延長して肺静脈の内壁と係合させる工程と、
バルーンを前記輪縄式ガイドの一部の上に展開させる工程であって、前記バルーンが長手方向軸及びその外壁に配置された電極アセンブリを有し、前記電極アセンブリが前記長手方向軸の周囲に円周方向に配置された複数のアブレーション電極を含む、工程と、
前記バルーンを膨張させる工程と、
前記バルーンを前記肺静脈に接してその口のところに位置決めする工程であって、前記アブレーション電極が前記肺静脈にガルバニック接触する、工程と、
前記アブレーション電極を介して電気エネルギーを伝達して、前記肺静脈を取り囲む円周方向の損傷を生じる工程と、を含む、方法。
（２）  前記バルーンの位置決め後に、前記肺静脈の中に前記カテーテルを通して造影剤を注入する工程を更に含む、実施態様１に記載の方法。
（３）  前記バルーンの位置決め後に、前記バルーンの中に前記カテーテルを通して造影剤を注入する工程を更に含む、実施態様１に記載の方法。
（４）  前記輪縄式ガイドが、その上に配置されたマッピング電極を有し、前記アブレーション電極を介して電気エネルギーを伝達する工程を実行する前に、前記マッピング電極を用いてアブレーション前の電位図を得る工程を更に含む、実施態様１に記載の方法。
（５）  前記輪縄式ガイドが、その上に配置されたマッピング電極を有し、前記アブレーション電極を介して電気エネルギーを伝達する工程を実行した後に、前記マッピング電極を用いてアブレーション後の電位図を得る工程を更に含む、実施態様１に記載の方法。
【００４６】
（６）  遠位部分及びルーメンを有するプローブと、
前記プローブの前記ルーメンを通って送達されるための折り畳んだ状態、及び拡張状態をとる輪縄式ガイドであって、前記輪縄式ガイドがその上に複数のマッピング電極を有し、前記マッピング電極が心電計回路に接続可能である、輪縄式ガイドと、
前記ルーメンを通って前記輪縄式ガイドの上に展開可能な膨張式のバルーンであって、前記バルーンが長手方向軸及び外壁を有する、バルーンと、
前記外壁上で前記長手方向軸の周りに円周方向に配置された複数のアブレーション電極であって、前記バルーンが複数の洗浄孔により有窓であり、前記孔を通過するための流体の供給源と接続されている、アブレーション電極と、を備える、アブレーション装置。
（７）  前記バルーンの前記長手方向軸から外向きに放射される複数のストリップを含むサブアセンブリを更に含み、前記アブレーション電極が前記ストリップ上に配置される、実施態様６に記載の装置。
（８）  前記サブアセンブリが、内部に貫通形成された開口部を有し、前記開口部が前記バルーンの前記孔と流体連通する、実施態様７に記載の装置。
（９）  前記遠位部分において前記アブレーション電極につながるワイヤを更に含み、前記サブアセンブリの前記ストリップが、前記バルーンの表面上に延在し、それぞれ前記ワイヤを覆うピグテールを含む、実施態様７に記載の装置。
【図１】
0006768293.tif 000002
【図２】
0006768293.tif 000003
【図３】
0006768293.tif 000004
【図４】
0006768293.tif 000005
【図５】
0006768293.tif 000006
【図６】
0006768293.tif 000007
【図７】
0006768293.tif 000008
【図８】
0006768293.tif 000009
【図９】
0006768293.tif 000010